(57)【要約】【課題】コークス製造操業への影響がないコークス炉用仮設上家およびこれを備えたコークス炉設備を提供すること。【解決手段】コークス炉長手方向の両端部に端部擁壁３を有するコークス炉Ａ（Ｂ〜Ｄ）であると共にこれらの端部擁壁３間に複数の炭化室１０を備え、コークス炉幅方向の両端部にバックステイ１１を備えたコークス炉Ａ（Ｂ〜Ｄ）に用いられ、煉瓦積み等の築炉工事されるコークス炉本体を覆うコークス炉用仮設上家１２を備えたコークス炉用仮設建家１において、端部擁壁の幅を石炭装入車４の幅寸法よりも広幅とし、前記仮設上家１２の長手方向の端部に配設されてこれを支持する柱１５を、石炭装入車４の幅寸法Ｌよりも外側の位置において、端部擁壁３上部またはバックステイ１１上部あるいは端部擁壁間に設置したコークス炉用仮設上家。【選択図】図１
2008075018.tif 000002
【特許請求の範囲】
【請求項１】
コークス炉長手方向の両端部に端部擁壁を有し、これらの端部擁壁間に複数の炭化室を備え、コークス炉幅方向の両端部にバックステイを備えたコークス炉に用いられ、煉瓦積み等の築炉工事されるコークス炉本体を覆うコークス炉用仮設上家を備えたコークス炉用仮設建家において、端部擁壁の幅を石炭装入車の幅寸法よりも広幅とし、前記仮設上家を支持する柱を、石炭装入車の幅寸法よりも外側の位置において、端部擁壁上部に設置したことを特徴とするコークス炉用仮設建家。
【請求項２】
請求項１の前記仮設上家を支持する柱を、石炭装入車の幅寸法よりも外側の位置において、端部擁壁上部に設置するに代えて、コークス炉の幅方向の端部に配置されたバックステイの上部に仮設上家を支持する柱を設置したことを特徴とするコークス炉用仮設建家。
【請求項３】
請求項１および２におけるコークス炉用仮設上家を支持する柱を、端部擁壁上部およびバックステイの上部に設置するに代えて、コークス炉の一端側に設けられた端部デッキに設置したことを特徴とするコークス炉用仮設建家。
【請求項４】
請求項１および２におけるコークス炉用仮設上家を支持する柱に代えて、コークス炉用仮設上家における長手方向の桁を、コークス炉に隣接して設けられる石炭塔に連結固定したことを特徴とするコークス炉用仮設建家。
【請求項５】
請求項１におけるコークス炉用仮設上家を支持する柱を、端部擁壁上部に設置するに代えて、コークス炉の一端側に設けられた端部デッキに設置し、コークス炉用仮設上家の長手方向の他端側を支持する柱に代えて、コークス炉用仮設上家における長手方向の桁を、コークス炉に隣接して設けられる石炭塔に連結固定したことを特徴とするコークス炉用仮設建家。
【請求項６】
請求項１の前記仮設上家を支持する柱を端部擁壁上部に設置するに代えて、前記側壁とこれに間隔をおいて隣接するコークス炉の側壁がある場合にこれらの端部擁壁間にコークス炉用仮設上家を支持する柱を配置するようにしたことを特徴とするコークス炉用仮設建家。
【請求項７】
請求項１〜６に記載のコークス炉用仮設建家を備えたコークス炉設備であって、コークス炉長手方向の側壁面に設置されている炉蓋が、築炉工事等により取り除かれて開放された状態の場合に、コークス炉頂部に、炉内に雨水の浸入を防ぐ庇を設置したことを特徴とするコークス炉設備。
【請求項８】
請求項１〜６に記載のコークス炉用仮設建家を備えたコークス炉設備であって、コークス炉長手方向の側壁面に設置されている炉蓋が、築炉工事等により取り除かれて開放された状態の場合に、炉内に雨水等の浸入を防ぐため、取り除かれた炉蓋部分を塞ぐために雨水の侵入防止部材を設置したことを特徴とするコークス炉設備。
【請求項９】
請求項１〜６に記載のコークス炉用仮設建家を備えたコークス炉設備であって、直列に配置されている複数のコークス炉のうちの一部のコークス炉における石炭装入部が取り除かれてそのコークス炉の上部が開放された築炉工事中のコークス炉の上部を石炭装入車が走行できるようにするために、築炉工事中のコークス炉における長手方向に間隔をおいて残されている端部擁壁間に渡って桁を設置し、その桁により石炭装入車用の軌条を支持したことを特徴とするコークス炉設備。
【発明の詳細な説明】
【技術分野】
【０００１】
本発明は、コークス炉の仮設上家に関し、仮設上家建設によるコークス製造操業に不可欠な設備（押出機、石炭装入車、ガイド車、消火車、コークカー）への操業影響が無く、コークス炉の築炉工事を可能とするコークス炉用仮設建家およびこれを備えたコークス炉設備に関する。
【背景技術】
【０００２】
高炉用コークスは、例えば、概略以下の（１）〜（５）の工程を経て製造される。
【０００３】
（１）まず輸送されてきた石炭を石炭ヤードに積む。次にコンベヤラインで石炭を配合槽に運び、配合槽の数個〜数十個の槽に銘柄の異なる石炭を入れる。配合槽は下部に定量切出装置を備え、一定の割合で各銘柄を切出すことによって配合を行う。（２）次に石炭を粉炭設備に運び、粉砕設備で石炭を粉砕して粒度分布を規制する。
【０００４】
（３）配合・粉砕された石炭はコンベヤラインにより、コークス炉の石炭塔に送りこまれる。コークス炉は、石炭を乾留する炭化室、燃料ガスを燃焼させる燃焼室が交互に並べられて炉団を形成している。石炭塔から石炭を受けた装炭車は、所定の炭化室まで走行して炭化室内に石炭を装入する。
【０００５】
（４）炭化室内で石炭の乾留が終了し、コークス化すると、押出機は炭化室の炉ぶたを開けて赤熱コークスを押し出す。ガイド車は炭化室をはさんで押出機と反対側に位置し、中段作業床上を走行する。ガイド車は炭化室内の赤熱コークスを押出す際、ガイド車側の炭化室の炉ぶたを開け、押し出されてくる赤熱コークスをコークカーに誘導する。
【０００６】
（５）赤熱コークスを受けたコークカーがＣＤＱ（乾式消火設備）まで走行すると、ＣＤＱが赤熱コークスを不活性ガスで冷却する。ＣＤＱが操業できなくなったり、コークカーが運転できなくなったりしたときには、コークカーの替わりに消火車を走行させる。消火車が消火塔（湿式消火設備）まで走行すると、消火塔で散水して赤熱コークスを冷却する。
【０００７】
コークス炉設備としては、例えば、本願発明の実施形態として示す図１３に示すように、石炭塔２を挟んで間隔をおいて一つまたは複数のコークス炉Ａ〜Ｄを直列に配置して、石炭塔２内から石炭を石炭装入車４に受けてから各コークス炉Ａ〜Ｄの炭化室１０に石炭を装入するようにして、石炭装入車４の反復動作の効率を向上させている。
【０００８】
コークス炉の建設には数年を要し、その工事は、土木、建築、機械、計装、築炉と多岐にわたっている。コークス炉本体のコンクリート基礎ができあがると、その上で煉瓦積みが始まる。煉瓦積みの期間は長期に及ぶ。煉瓦積みするときには風雨が大敵なので、煉瓦積みされるコークス炉本体は、コークス炉用仮設上家で覆われる。
【０００９】
従来、図１７に示すように、前記のコークス炉用仮設上家３３を設ける場合、その仮設上家３３を支持する柱３４，３５に関し、押出機３６側の柱３５は押出機３６の軌条レベルで押出機軌条間に設置し、ガイド車３７側は、ガイト車３７の走行する中段作業床(プラットホーム)３８上に設置することが知られている（例えば、特許文献１参照）。
【特許文献１】特開２００６−３６９３号公報（コークス炉用仮上家及びコークス炉の施工方法）
【発明の開示】
【発明が解決しようとする課題】
【００１０】
前記従来の場合は、受骸したコークスを運搬する消火車３９、コークカーの走行は可能であるが、仮設上家の柱３４，３５が、押出機３６ならびにガイド車３７の走行範囲延長上に設置されているため、押出機３６ならびにガイド車３７の走行範囲と仮設上家部分の柱とが干渉し、押出機３６ならびにガイド車３７が仮設上家部分を走行することができないため、仮設上家３３部分を通過して直列に配置されている別個のコークス炉に移動できず、コークスの減産を余儀なくされるという問題がある。
【００１１】
また、コークス炉を直列に増築する場合、仮設上家を増築するコークス炉側に設置したとしても、押出機やガイド車の長手方向の寸法が長いため、増築したコークス炉に近接する既設コークス炉の数門は、仮設上家を支持する柱と押出機やガイド車とが干渉する位置となるため、押出機やガイド車によってコークスの受骸ができず、既設コークス炉の一部が使用できないため、既設コークス炉が減産することになるという問題があった。
本発明は、前記の課題を有利に解消することができ、仮設上家建設によるコークス製造操業に不可欠な設備（押出機、石炭装入車、ガイド車、消火車、コークカーの可動走行）への操業影響が無く、コークス炉の築炉工事を可能とするコークス炉用仮設上家およびコークス炉用仮設上家を備えたコークス炉設備を提供することを目的とする。
【課題を解決するための手段】
【００１２】
前記の課題を有利に解決するために、第１発明のコークス炉用仮設建家においては、コークス炉長手方向の両端部に端部擁壁を有し、これらの端部擁壁間に複数の炭化室を備え、コークス炉幅方向の両端部にバックステイを備えたコークス炉に用いられ、煉瓦積み等の築炉工事されるコークス炉本体を覆うコークス炉用仮設上家を備えたコークス炉用仮設建家において、端部擁壁の幅を石炭装入車の幅寸法よりも広幅とし、前記仮設上家を支持する柱を、石炭装入車の幅寸法よりも外側の位置において、端部擁壁上部に設置したことを特徴とする。
第２発明のコークス炉用仮設上家においては、第１発明の前記仮設上家を支持する柱を、石炭装入車の幅寸法よりも外側の位置において、端部擁壁上部に設置するに代えて、コークス炉の幅方向の端部に配置されたバックステイの上部に仮設上家を支持する柱を設置したことを特徴とする。
第３発明のコークス炉用仮設上家においては、第１発明および第２発明におけるコークス炉用仮設上家を支持する柱を、端部擁壁上部およびバックステイの上部に設置するに代えて、コークス炉の一端側に設けられた端部デッキに設置したことを特徴とする。
第４発明のコークス炉用仮設上家では、第１および第２発明におけるコークス炉用仮設上家を支持する柱に代えて、コークス炉用仮設上家における長手方向の桁を、コークス炉に隣接して設けられる石炭塔に連結固定したことを特徴とする。
第５発明のコークス炉用仮設上家においては、第１発明におけるコークス炉用仮設上家を支持する柱を、端部擁壁上部に設置するに代えて、コークス炉の一端側に設けられた端部デッキに設置し、コークス炉用仮設上家の長手方向の他端側を支持する柱に代えて、コークス炉用仮設上家における長手方向の桁を、コークス炉に隣接して設けられる石炭塔に連結固定したことを特徴とする。
第６発明のコークス炉用仮設上家においては、第１発明の前記仮設上家を支持する柱を端部擁壁上部に設置するに代えて、前記側壁とこれに間隔をおいて隣接するコークス炉の側壁がある場合にこれらの端部擁壁間にコークス炉用仮設上家を支持する柱を配置するようにしたことを特徴とする。
第７発明のコークス炉設備においては、第１発明〜第６発明のコークス炉用仮設建家を備えたコークス炉設備であって、コークス炉長手方向の側壁面に設置されている炉蓋が、築炉工事等により取り除かれて開放された状態の場合に、コークス炉頂部に、炉内に雨水の浸入を防ぐ庇を設置したことを特徴とする。
第８発明のコークス炉設備においては、第１発明〜第６発明のコークス炉用仮設建家を備えたコークス炉設備であって、コークス炉長手方向の側壁面に設置されている炉蓋が、築炉工事等により取り除かれて開放された状態の場合に、炉内に雨水等の浸入を防ぐため、取り除かれた炉蓋部分を塞ぐために雨水の侵入防止部材を設置したことを特徴とする。
第９発明のコークス炉設備においては、第１発明〜第６発明のコークス炉用仮設建家を備えたコークス炉設備であって、直列に配置されている複数のコークス炉のうちの一部のコークス炉における石炭装入部が取り除かれてそのコークス炉の上部が開放された築炉工事中のコークス炉の上部を石炭装入車が走行できるようにするために、築炉工事中のコークス炉における長手方向に間隔をおいて残されている端部擁壁間に渡って桁を設置し、その桁により石炭装入車用の軌条を支持したことを特徴とする。
【発明の効果】
【００１３】
本発明の共通の効果として、仮設上家建設によるコークス製造操業に不可欠な設備（押出機、石炭装入車、ガイド車、消火車、コークカーの可動走行）への操業影響が無いコークス炉用仮設上家とすることができる。
また、第１発明によると、コークス炉における端部擁壁の幅方向端部にコークス炉用仮設上家を支持するための柱を設置するだけでよいので、構成が簡単であり容易に構築することができる効果が得られる。
また、第２発明によると、コークス炉の幅方向の端部に配置されたバックステイの上部に仮設上家を支持する柱を設置したので、コークス炉におけるバックステイを有効に利用して、仮設上家を支持することができる効果が得られる。
第３発明によると、コークス炉用仮設上家を支持する柱を、コークス炉の一端側に設けられた端部デッキに設置したので、端部デッキを有効に利用してコークス炉用仮設上家の一端側を支持することができる効果が得られる。
第４発明によると、コークス炉用仮設上家における長手方向の桁を、コークス炉に隣接して設けられる石炭塔に連結固定するので、柱を設けることなくコークス炉用仮設上家の一端側をその上家本体の梁を利用して、容易に固定することができ、一端側の桁下に柱がない分、作業空間を大きくすることができる効果が得られる。
第５発明によると、コークス炉用仮設上家を支持する柱を、コークス炉の一端側に設けられた端部デッキに設置したので、端部デッキを有効に利用してコークス炉用仮設上家を支持することができ、また、コークス炉用仮設上家における長手方向の桁の他端側を、コークス炉に隣接して設けられる石炭塔に延長して連結固定するので、柱を設けることなくコークス炉用仮設上家の他端側をその上家本体の梁を利用して、容易に固定することができ、他端側の梁下に柱がない分、作業空間を大きくすることができる効果が得られる。
第６発明によると、間隔をおいて隣接する端部擁壁がある場合には、これらの間にコークス炉用仮設上家を支持する柱を容易に配置して、コークス炉の躯体構造物の床スラブに設置することができ、端部擁壁に後施工アンカー部材を設けることなく柱を固定することができる効果が得られる。
第７発明によると、仮設上家建設によるコークス製造操業に不可欠な設備（押出機、石炭装入車、ガイド車、消火車、コークカーの可動走行）への操業影響が無く、また、コークス炉の築炉工事を可能とするコークス炉用仮設上家を備えたコークス炉設備とすることができる。また、
第８発明によると、取り除かれた炉蓋部分を塞ぐために雨水の侵入防止部材を設置したので、雨水の侵入防止部材により確実にコークス炉内に雨水が侵入するのを防止することができるの効果が得られる。
第９発明によると、端部擁壁間のコークス炉が部分的あるいは全体的に修復したり、築炉する場合に、端部擁壁の軌条を支持する桁を端部擁壁間に渡って設置することで、隣接するコークス炉に可動設備を移動させて、コークス製造操業を行うことができ、コークス製造能率を向上させることができる効果が得られる。
【発明を実施するための最良の形態】
【００１４】
次に、本発明を図示の実施形態に基づいて詳細に説明する。
【００１５】
図１〜図５，図１４〜図１６は、本発明の一実施形態におけるコークス炉用仮設建家１が建設されたコークス炉設備を示す。まず、本発明におけるコークス炉設備も、図１３に示すように、石炭塔２を挟むように直列に間隔をおいて複数のコークス炉Ａ，Ｂ，Ｃ，Ｄが設けられている。
【００１６】
コークス炉設備は、長手方向の両端部に端部擁壁３を備え、かつ端部擁壁３間に、炭化室と燃焼室とを多数備えたコークス炉Ａ〜Ｄと、石炭装入車４（図３，４参照）、押出機５、ガイド車６、コークカー及び消火車７等の付帯設備から構成される。端部擁壁３等のコークス炉本体は、２階床スラブ等を基礎とするコンクリート製の基礎８の上に煉瓦を積んだ構造体である。
【００１７】
第１実施形態のコークス炉用仮設建家では、一つのコークス炉Ａが補修されて築炉される場合を例に説明する。図４に示すように、コークス炉Ａ等は、平面視で、前後方向に間隔をおいて平行なコンクリート製の端部擁壁３を備えており、これらの端部擁壁３間において、多数の煉瓦の煉瓦積みにより形成された多数のセル隔壁９により区画された細長の多数の炭化室１０を備えており、セル隔壁９の両端部には、Ｈ形鋼等のからなるバックステイ（柱材）１１が配置されている。前記のセル隔壁９に亀裂等がある場合に、部分的にあるいは所定の範囲におけるセル隔壁９を解体し、新たな煉瓦積みする場合に、煉瓦の雨水による濡れを防止するために、コークス炉用仮設建家１が設けられる。
【００１８】
この第１実施形態のコークス炉用仮設建家１では、上家１２は、コークス炉長手方向（前後方向）に延長すると共に、左右方向に、石炭装入車４の幅寸法よりも広い間隔をおいて配置された鋼製トラス構造の各軒桁１３を備え、左右の軒桁１３に渡って前後方向に間隔をおいて平行に小屋梁１４が配置されてその両端部が固定され、軒桁１３の端部または柱１５の外側に延長された桁部分の端部には、上家１２を支持するための柱１５の上部が固定され、また、妻面方向から見て、柱１５と小屋梁１４が溶接または複数のボルト等により剛結合されて、ほぼ門型のラーメン構造とされている。小屋梁１４間は適宜梁材により連結されていると共に、妻面側の屋根構面にはブレース材が配置されて補強され、金属板ぶきの屋根面とされている（図１，３，６，７参照）。
【００１９】
前記の軒桁１３の長さは、コークス炉Ａにおける端部擁壁３間の寸法程度またはこれ以上とされ、軒桁１３の端部に固定された各柱１５は、ある一つのコークス炉Ａまたはこれに隣接するコークス炉Ｂにおける端部擁壁３上に位置し、図８に示すように、各柱１５の下端部に設けられた下部座板１６は、端部擁壁３上に設けられた台座モルタル上に載置されて、端部擁壁３に埋め込み固定されたアンカーボルト１７の上部が前記座板１６に挿通され、ナットおよび必要に応じロックナットにより固定されている。
【００２０】
コークス炉用仮設建家１における石炭装入車４が通る妻面側は、開口部とされ、図１に示すように、妻面から外側に向かって張り出すように設けられた妻面側庇１８により、雨水が築炉中あるいは修復中のコークス炉Ａ内に侵入しないようにされている。
【００２１】
直列に配置されている端部のコークス炉Ａ，Ｄを修復または築炉工事する場合は、コークス炉用仮設建家１における石炭塔２側（一端側妻面側）のみ開放して、石炭装入車４の可動範囲の障害にならないようにすればよいので、このような形態では、コークス炉用仮設建家１における他端側の妻面側に、横胴縁あるいは縦胴縁を設けた壁材１９を設けて他端側の妻面側を塞ぐようにしてもよい。
【００２２】
しかし、例えば、図１６におけるＣ炉あるいはＢ炉を覆うコークス炉用仮設建家１を構築する場合には、前記壁材１９を設けることなく、コークス炉用仮設建家１における両妻面側が開口されたコークス炉用仮設建家１となり、両妻面側に妻面側庇１８を設けるようにすれば、両方からの風雨による雨水のコークス炉Ｂ，Ｃ内への侵入を防止できるのでよい。また、コークス炉Ｄを覆うコークス炉用仮設建家１を構築する場合には、端部デッキ２０側に石炭装入車４は進入しないので、コークス炉用仮設建家１における端部デッキ２０側の妻面側は、壁材１９を設けて閉塞するようにしてもよい。
【００２３】
コークス炉用仮設建家１における各軒側には、外側に向かって張り出す軒側庇２１により、軒側からコークス炉用仮設建家内に雨水が侵入しなうようにされ、各軒側の端部の各柱１５間には、軒桁１３に一端側が固定された間柱２２が、コークス炉天端近傍まで配置され、柱１５および間柱２２に渡って設けられる横胴縁（またはこれに固定される縦胴縁）を介して軒側に壁材が設けられて、コークス炉内への雨水の侵入が防止される。
【００２４】
前記のように、前記のようにコークス炉用仮設建家１における軒側庇２１（図３，７参照）を設けると、コークス炉長手方向の側壁面に設置されている炉蓋が、築炉工事等により取り除かれて開放された状態の場合に、コークス炉頂部に、炉内に雨水の浸入を防ぐことができるコークス炉設備とすることができる。
【００２５】
前記のようにコークス炉用仮設建家１における軒側庇２１により築炉中の炉内への雨水の侵入を防止するようしてもよいが、さらにコークス炉Ａ（Ｂ〜Ｄ）側において、その幅方向の一方または両方の側面に雨水進入防止部材を設置するようにしてもよい。例えば、図１４および図１５に示すように、コークス炉長手方向の側壁面に設置されている炉蓋が、築炉工事等により取り除かれて開放された状態の場合に、バックステイ１１間または多数のバックステイ１１に渡って、雨水侵入防止用鋼板２３を、取り除かれた炉蓋部分を塞ぐために雨水の侵入防止部材としてバックステイ１１にボルト等により着脱可能に固定して設けることにより、炉の側面側からのコークス炉Ａ内への雨水の侵入を防止することができる。
【００２６】
また、コークス炉Ａ（Ｂ〜Ｄ）における一部の天井部２９（図５参照）、すなわち、石炭装入口を備えている石炭装入部が取り除かれている場合では、コークス炉の上部が開放されている築炉工事中の状態になる。このような場合に、軌条２５を支持し、石炭装入車４の走行を可能にする形態について説明する。
【００２７】
コークス炉Ａ（Ｂ〜Ｄ）における天井部２９が取り除かれる場合には、前記天井部２９により支持している石炭装入車用の軌条２５の支持手段がなくなるため、例えば、図１４および図１５に示すように、端部擁壁３間に渡って、石炭装入車用の軌条２５の下側において鋼製の軌条支持用桁２６を架設し、適宜無収縮モルタルあるいは枕木を介して軌条２５を支持し、石炭装入車４の荷重を鋼製の軌条支持用桁２６を介して端部擁壁３に支持させて、石炭装入車４がコークス炉Ａ上を走行可能にする。
【００２８】
なお、図示を省略するが、端部擁壁３をも修復する場合には、端部擁壁３から離れた位置において、仮設の支持架台をコンクリート基礎８等に設置して、鋼製の軌条支持用桁２６を支持するようにし、端部擁壁３を構築するようにすればよい。
【００２９】
前記のように設けられたコークス炉用仮設建家１では、隣接するコークス炉Ｂ（Ｃ，Ｄ）上に渡って設けられる軌条２５上を走行する石炭装入車４、コークス炉の側部に沿って走行する押出機５、ガイド車６、コークカー又は消火車７の移動する範囲に干渉しない位置にコークス炉用仮設建家１の柱１５が設けられているので、これらの操業に影響することがなく、修復等の築炉工事すべきコークス炉Ａに雨水が侵入するのをコークス炉用仮設建家１により防止すると共に、これ以外のコークス炉Ｂ〜Ｄにおける生産操業を継続しながら効率よくコークスを生産することができる。
【００３０】
前記のように、本発明のコークス炉用仮設建家１は、炭化室１０上に設けられる軌道上を石炭装入車で炭化室上に石炭を搬送すると共に、炭化室内で乾留したコークスを押出機で押出し、押出されたコークスを炭化室１０をはさんで押出機５と反対側に位置するガイド車６でコークカー又は消火車７に誘導するコークス炉設備に使用される。コークス炉Ａ〜Ｄは、コークス炉長手方向の両端部に端部擁壁３を有し、これらの端部擁壁３間に複数の炭化室を備え、コークス炉幅方向の両端部にバックステイ１１を備えたコークス炉に用いられるコークス炉用仮設建家である。なお、５ａは押出機５の軌条、６ａはガイド車６の軌条である。また、図２中、２４は手摺である。
【００３１】
図９〜図１３は、前記第１実施形態と主に柱１５の位置または柱１５に代わる構成が相違する第２〜第７実施形態を示したものである。
【００３２】
図９は、本発明の第２実施形態のコークス炉用仮設上家を備えたコークス炉設備を示す一部縦断概略側面図であり、この形態と前記実施形態と相違する部分は、コークス炉用仮設建家１における柱１５の下端の支持形態が前記実施形態と相違し、その他の構成は、前記実施形態と同様であるので、相違する部分を主に説明する。
【００３３】
この第２実施形態では、前記実施形態のように柱１５を端部擁壁３に支持させないで、バックステイ１１に支持させるようにした形態であり、コークス炉用仮設建家１におけるＨ形鋼からなる柱１５は、Ｈ型鋼からなるバックステイ１１に連結・固定されている。
そのため、前記第１実施形態の図３を参照して説明すると、軒桁１３間の間隔は、コークス炉用仮設建家１における側壁１９の位置まで広げられ、ほぼ前後方向のバックステイ１１中心間の間隔となるように配置され、コークス炉用仮設建家１における柱１５がバックステイ１１直上に位置するようにされる。なお、変形形態として、図９を参照して説明すると、間柱２２を伸ばしてバックステイ１１に着脱可能に連結固定するようにしてもよい。
【００３４】
前記の柱１５と、バックステイ１１との結合は、図示を省略するが、例えば、（１）Ｈ形鋼からなる柱１５の下端部に座板１６を溶接またはボルトにより固定し、またＨ形鋼からなるバックステイ１１上端部に支承フランジ（図示を省略）を溶接またはボルト等により固定し、座板１６（図８参照）を前記支承フランジに載置して、これらの挿通孔に渡って挿通されたボルトおよびこれに装着されるナットにより着脱可能に固定するようにしてもよく、また、（２）直列に配置されるＨ型鋼相互の従来周知の接合構造を採用し、Ｈ形鋼からなる柱１５とＨ形鋼からなるバックステイ１１における各フランジあるいは各ウェブに渡って添板を重合配置し、フランジと添板とを、あるいはウェブと添板とを、これらのボルト挿通孔に渡ってボルトを挿通するとともにナットにより締め込んで、添板を介した摩擦接合により着脱可能に連結・固定するようにしてもよい。
【００３５】
このように、前記仮設上家を支持する柱１５を、石炭装入車４の幅寸法よりも広くし、石炭装入車４の外側の位置において、端部擁壁３上部に設置するに代えて、コークス炉Ａの幅方向の端部に配置されたバックステイ１１の上部に仮設上家１２を支持する柱１５を設置すると、コークス炉Ａ（Ｂ〜Ｄ）におけるバックステイ１１を有効に利用して、仮設上家１２を支持することができる効果が得られる。
【００３６】
図１０は、本発明の第３実施形態のコークス炉用仮設上家を備えたコークス炉設備を示す一部縦断概略側面図である。この形態と前記実施形態と相違する部分は、コークス炉用仮設建家１における一端側の柱１５を、コークス炉Ａに近接して設けられている端部デッキ２０に設置するようにした構成としている。このようにするために、軒桁１３を端部デッキ２０上または端部デッキ２０におけるデッキ用支柱２７付近まで伸びた長い軒桁１３とし、その軒桁１３の端部に柱１５の上端部をボルト等により固定するようにしている。また、柱１５の下端部には、座板１６を溶接またはボルトにより固定し、座板１６を端部デッキ２０における鋼製床材（またはこれを支持する構造材）２８にボルト・ナット等により着脱可能に取付けている。
この実施形態のように、コークス炉用仮設上家の長手方向の一端側を支持する柱１５を、端部擁壁３の上端部およびバックステイ１１の上端部に設置しないで、コークス炉Ａ（ｄ）の一端側に近接して設けられた端部デッキ２０に設置すると、端部デッキ２０を有効に利用してコークス炉用仮設上家１２の一端側を支持することができる（なお、図１５左に端部デッキ２０に柱１５を配置する場合の平面配置位置を示した）。
なお、前記以外の構成は、前記第１実施形態と同様であるので、同様な要素には同様な符号を付してある。
【００３７】
図１１は、本発明の第４実施形態のコークス炉用仮設建家を備えたコークス炉設備を示す一部縦断概略側面図である。この形態では、コークス炉Ａ（Ｂ〜Ｄ）の一端側に、これに隣接して石炭塔２がある場合に、コークス炉用仮設建家１の一端側の柱１５を省略して、コークス炉用仮設建家１における軒桁１３などの桁を延長して、石炭装入車４が通る石炭塔２天井部の横梁部分３０あるいは側部柱部分３１に固定するようにした形態である。
【００３８】
このように軒桁１３等の桁端部を石炭塔２に固定する場合に、コークス炉用仮設建家１における軒桁１３等の桁端部に取付用フランジ３２を固定して、石炭塔２側の取付部とに渡ってボルトを挿通すると共にこれにねじ込まれるナットにより、軒桁１３等の桁端部を石炭塔２に固定するようにした形態である。コークス炉用仮設建家１における他端側の柱１５は、図示のように、端部擁壁３に設置したり、端部デッキ２０が近い場合には、端部デッキ２０に設置するようにしてもよい。このように、石炭塔２に軒桁１３等の桁を固定すると、コークス炉用仮設建家１における一端側に柱１５が存在しない構成となるので、一端側の桁下に柱がない分、走行空間あるいは作業空間を大きくすることができる。
その他の構成は、前記実施形態と同様であるので、同様な要素には同様な符号を付して説明を省略する。
【００３９】
図１２は、本発明の第５実施形態のコークス炉用仮設上家を備えたコークス炉設備を示す一部縦断概略側面図である。この形態では、コークス炉用仮設建家１における一端側の各柱１５を前記の第３実施形態と同様に端部デッキ２０に設置するようにし、コークス炉用仮設建家１における他端側の柱１５を省略して、前記第４実施形態のように、軒桁１３等の桁を石炭塔２に固定するようにし、前記各実施形態を組み合わせた構成とした形態であり、コークス炉用仮設上家１２の長手方向の一端側を支持する柱１５の下端部の座板１６を、コークス炉Ａ（Ｄ）の一端側に間隔をおいて設けられた端部デッキ２０の鋼製床材（またはこれを支持する構造材）２８にボルト・ナットにより着脱可能に連結固定している。
【００４０】
また、コークス炉用仮設建家１における他端側には、柱１５を設けないで、軒桁１３等の桁を、間隔をおいて隣接する石炭塔２まで延長する長さの軒桁１３等の桁とし、桁端部に取付用フランジ３２を設けて、前記実施形態と同様に前記取付用フランジ３２を石炭塔２側に着脱可能に固定するようにしている。このように、コークス炉用仮設建家１の一端側の柱１５を端部デッキ２０に、コークス炉用仮設建家１の他端側に柱１５を設けないで、石炭塔２に軒桁１３等を固定すると、コークス炉の長手方向全長に渡って、確実にコークス炉用仮設建家１により覆うことが可能になるため、コークス炉用仮設建家１の妻面側から、妻面から離れる方向の外側に設ける妻面側庇１８を省略することも可能になる。このような形態のコークス炉用仮設建家１では、コークス炉の一端側に端部デッキ２０があり、コークス炉の他端側に石炭塔２が設けられている形態の設備に適用するとよい。
その他の構成は、前記した実施形態と同様であるので、同様な要素には同様な符号を付している。
【００４１】
図１３は、本発明の第６実施形態のコークス炉用仮設上家を備えたコークス炉設備を示す一部縦断概略側面図である。この形態では、間隔をおいて直列に隣合うコークス炉Ａ、Ｂにおける間隔をおいて隣合う端部擁壁３間に、コークス炉用仮設建家１における一端側の前後各柱１５を配置するようにした形態であり、前後の柱１５間の間隔は、前記第１実施形態と同様に、石炭装入車４の幅寸法よりも広い間隔とされ、柱１５の下端部には、鋼製座板が取付られ、コンクリートスラブ上に載置されて、アンカーボルト等により固定されている。
柱１５の設置位置は、端部擁壁３の幅方向の端部付近に近い位置であるので、柱下端部を固定するための、アンカー孔を設ける作業も容易である（図１５右に、一端側の前後の柱１５の平面配置を示した）。
【００４２】
このような形態では、端部擁壁３にアンカーボルト１７を埋め込む必要がないので、端部擁壁３の上面側から高レベル位置においてアンカー孔を穿孔する作業の必要がなく、低レベル位置で、コンクリートスラブ等のコンクリート基礎８にアンカー孔を施工でき、柱１５下端の位置固定が容易である。
【００４３】
なお、前記第６実施形態の変形形態として、直列に間隔をおいて連続して３つのコークス炉Ａ、Ｂ、Ｃが設けられている形態における中央部のコークス炉Ｂを覆うようにコークス炉用仮設建家１を設ける形態では、コークス炉用仮設建家１における長手方向一端側の柱１５および他端側の柱１５は、間隔をおいて隣り合う端部擁壁３間の間隙に配置され、コンクリートスラブ等のコンクリート基礎８に設置される。
その他の構成は、前記実施形態と同様であるので、同様な要素には同様な符号を付して説明を省略する。
【００４４】
本発明を実施する場合、コークス炉用仮設建家１に、煉瓦を搬入するための扉、ホイスト等の移動設備、施工場所の換気を目的とした換気扇を設置するようにしてもよい。例えば、妻面側に壁が設けられる場合に、煉瓦を搬入するための扉を設けるようにしてもよく、小屋梁１４に支持させるようにその下側に渡ってホイスト走行用桁を固定し、これにホイストを走行可能に支持するようにするような移動設備を設けたり、築炉施工場所の換気を目的とした換気扇を設置することもできる。
【００４５】
前記実施形態では、コークス炉用仮設建家１における上家の屋根壁は鋼板を使用しているが、鋼板以外にも、例えば、テント生地のような布製生地のような膜状部材で、屋根壁を構成するようにすることも可能である。
【００４６】
また、本発明を実施する場合、仮設上家の屋根に浮力を持たせることで軽量化するようにしてもよく、例えば、気球の原理を応用し、コークス炉用仮設建家１内の空気を、築炉作業者に支障がない程度に加熱して、コークス炉用仮設建家１内の空気の比重を軽くし、仮設上家内を正圧化させ、仮設上家の屋根壁を外側に膨らませることで、コークス炉用仮設建家の柱を始めとする鉄骨骨組みへの負担を軽減させるようにしてもよい。
【００４７】
図示の実施形態では、既設コークス炉の端部の煉瓦築炉工事であるが、端部以外の場所で工事を行う際には、石炭装入車４が煉瓦築炉工事上を走行する必要があるため、適切な安全対策を行い、石炭装入車４を走行させる桁やレールを設置して走行させることも可能である。
【図面の簡単な説明】
【００４８】
【図１】本発明の第１実施形態のコークス炉用仮設上家を備えたコークス炉設備を示す一部縦断概略側面図である。
【図２】本発明の第１実施形態のコークス炉用仮設上家を備えたコークス炉設備を示す概略側面図である。
【図３】図１の概略縦断正面図で、図１３に示すコークス炉設備配置図のＡ−Ａ線断面図である。
【図４】図１に示す第１実施形態のコークス炉用仮設上家を支持する柱の配置位置を説明
【図５】既設状態の炭化室付近を示す縦断正面図である。
【図６】図１のコークス炉用仮設建家における間柱間における概略縦断正面図である。
【図７】コークス炉用仮設建家における小屋伏梁図である。
【図８】コークス炉用仮設建家における柱の端部擁壁への固定構造の一形態を示す図である。
【図９】本発明の第２実施形態のコークス炉用仮設上家を備えたコークス炉設備を示す一部縦断概略側面図である。
【図１０】本発明の第３実施形態のコークス炉用仮設上家を備えたコークス炉設備を示す一部縦断概略側面図である。
【図１１】本発明の第４実施形態のコークス炉用仮設上家を備えたコークス炉設備を示す一部縦断概略側面図である。
【図１２】本発明の第５実施形態のコークス炉用仮設上家を備えたコークス炉設備を示す一部縦断概略側面図である。
【図１３】本発明の第６実施形態のコークス炉用仮設上家を備えたコークス炉設備を示す一部縦断概略側面図である。
【図１４】コークス炉における端部擁壁間に渡って軌条を支持するための桁を設置した形態を示す一部縦断正面図である。
【図１５】図１１に示す部分の概略平面図である。
【図１６】本発明を適用するコークス炉設備の配置形態を示す概略平面図である。
【図１７】従来のコークス炉用仮設上家の一例を示す一部縦断正面図である。
【符号の説明】
【００４９】
Ａ  コークス炉
Ｂ  コークス炉
Ｃ  コークス炉
Ｄ  コークス炉
１  コークス炉用仮設建家
２  石炭塔
３  端部擁壁
４  石炭装入車
５  押出機
６  ガイド車
７  消火車
８  基礎
９  セル隔壁
１０  炭化室
１１  バックステイ
１２  仮設上家
１３  軒桁
１４  小屋梁
１５  柱
１６  下部座板
１７  アンカーボルト
１８  妻面側庇
１９  壁材（または側壁）
２０  端部デッキ
２１  軒側庇
２２  間柱
２３  雨水侵入防止用鋼板
２４  手摺
２５  石炭装入車用の軌条
２６  軌条支持用桁
２７  デッキ用支柱
２８  鋼製床材（またはこれを支持する構造材）
２９  天井部
３０  横梁部分
３１  側部柱部分
３２  取付用フランジ
３３  コークス炉用仮設上家
３４  柱
３５  柱
３６  押出機
３７  ガイド車
３８  中段作業床(プラットホーム)
３９  消火車
【図１】
2008075018.tif 000003
【図２】
2008075018.tif 000004
【図３】
2008075018.tif 000005
【図４】
2008075018.tif 000006
【図５】
2008075018.tif 000007
【図６】
2008075018.tif 000008
【図７】
2008075018.tif 000009
【図８】
2008075018.tif 000010
【図９】
2008075018.tif 000011
【図１０】
2008075018.tif 000012
【図１１】
2008075018.tif 000013
【図１２】
2008075018.tif 000014
【図１３】
2008075018.tif 000015
【図１４】
2008075018.tif 000016
【図１５】
2008075018.tif 000017
【図１６】
2008075018.tif 000018
【図１７】
2008075018.tif 000019